(57)【要約】【課題】手動又はポンプ式の流体ディスペンサー【解決手段】逆さ状態の容器の周囲に配置した、中に回転翼を有するチャンバーであって、回転翼が回転するとチャンバーから流体が払い出される。【選択図】図２４
2007523668.tif 000002
【特許請求の範囲】
【請求項１】
以下：
一方の側がくびれていて排出口がある以外は閉鎖された弾性容器、
端壁、及び、端壁から上へ伸びる側壁を有するキャップ、
側壁を貫通するキャップ出口、
くびれ部とキャップの側壁の間の、くびれ部の外側でかつ側壁の内側にある、容器出口及びキャップ出口の両方につながる通路、
キャップの端壁の上に配置されていて、軸の周りを回転できるように軸受けに受けられ、容器出口の少なくとも少し下に配置された回転翼：
を含み、
前記キャップはくびれ部がキャップの中に入る形でくびれ部に受けられ、
キャップのくびれ部周囲の部分はくびれ部とかみ合わされることによって流体浸透防止用密閉部を形成し、
容器が逆さになっていてくびれ部が容器の下に位置した状態にある場合に、容器出口はキャップ出口より下にあり、
キャップの側壁は軸の周りに配置され、
容器出口はキャップの側壁の内側に同軸方向に配置され、
回転翼は、回転すると、容器出口から流出した回転翼の上にある流体を受け、かつ、液体を通路の中に放射状に外側へ流動させ、回転翼の回転によって流体を通路に流入させて通路の中の流体面をキャップ出口よりも高く上昇させ、流体をキャップ出口から流出させることができ、
回転翼は、回転していない場合に、キャップと容器出口の間の空気又は流体の流動を妨げない
ことを特徴とする液体ディスペンサー。
【請求項２】
回転翼は、回転していない場合に、キャップと容器との間の空気又は流体の流動を妨げない
ことを特徴とする請求項１に記載の液体ディスペンサー。
【請求項３】
回転翼、キャップ及び容器くびれ部は組み合わさって渦巻きポンプを形成し、流体を容器出口から通路に放射状に流入させる
ことを特徴とする請求項１に記載の液体ディスペンサー。
【請求項４】
キャップの軸に対する断面は円形であり、容器くびれ部の軸に対する断面も円形であり、かつ、
通路は軸に対して環状である
ことを特徴とする請求項３に記載の液体ディスペンサー。
【請求項５】
回転翼の半径は容器出口の半径よりもやや小さい
ことを特徴とする請求項１に記載の液体ディスペンサー。
【請求項６】
回転翼の半径は小さくても容器出口の半径と同じである
ことを特徴とする請求項１に記載の液体ディスペンサー。
【請求項７】
キャップの側壁の円筒状の下部の半径は回転翼の半径よりもわずかに大きい
ことを特徴とする請求項１に記載の液体ディスペンサー。
【請求項８】
容器くびれ部の円筒状の下端にある容器出口部分の半径は、キャップの円筒状の下部の半径と実質的に同じである
ことを特徴とする請求項７に記載の液体ディスペンサー。
【請求項９】
キャップの側壁は円筒状の下部から上向きに開いていて漏斗状になっている
ことを特徴とする請求項７に記載の液体ディスペンサー。
【請求項１０】
容器は、本来の形は一定の内容積を有するが、弾性があって変形可能であり、
弾性を有するために、圧力がかかって本来の形とは異なる形に変形されて容積が本来の容積よりも小さくなった後に、圧力を除去すると、容器の弾性によって本来の形に戻ろうとし、これにより容器内部が真空状態になり、
容器が、逆さ状態になっている場合に、本来の形とは異なる形に変形されると、容器の中の液体が容器出口から通路を通って容器の外へ流出させられてキャップ出口へと流され、
逆さ状態の容器内部が真空状態である場合に、キャップの中の液体は容器の中に引き戻されてキャップの中の液面が容器出口よりも下になり、容器出口がキャップの中の空気とつながって、キャップの中の空気が重力によりくびれ部を通って容器の中へと上昇し、容器内部の真空状態を除去し、
容器出口が容器の中の液面よりも下にあって、容器内部の圧力が大気圧である場合に、容器から排出された液体によって重力によりくびれ部及び通路が満たされ、液面が容器出口よりも高くかつキャップ出口よりも低くなる
ことを特徴とする請求項１に記載の液体ディスペンサー。
【請求項１１】
キャップはくびれ部に対して、キャップによって通路を流体が流動できないような閉じた状態と通路が開いていて流体が流動できる開いた状態との間で動くことができる
ことを特徴とする請求項７に記載の液体ディスペンサー。
【請求項１２】
閉じた状態において、キャップの端壁がくびれ部に取り付けられることによって容器出口が塞がれて流体がその間を通過できず、開いた状態において、この端壁は容器出口から間隔があいている
ことを特徴とする請求項１１に記載の液体ディスペンサー。
【請求項１３】
キャップの側壁がくびれ部の周りに同軸方向に配置され、キャップはくびれ部に対して開いた状態と閉じた状態との間で軸の周りを動くことができる
ことを特徴とする請求項１２に記載の液体ディスペンサー。
【請求項１４】
回転翼に連結したモーターを含む液体ディスペンサーであって、
モーターはキャップの端壁の下に配置され、
軸の周りを回転可能なシャフトが密閉状態でキャップの端壁を通過していて、その下端でモーターと、上端で回転翼と連結している
ことを特徴とする請求項１に記載の液体ディスペンサー。
【請求項１５】
キャップが更に支持部を含み、この支持部は下へ伸びていてその先は土台面になっており、平坦な作業台に取り付けて払出し使用時にディスペンサーを垂直方向に支持できる
ことを特徴とする請求項１に記載の液体ディスペンサー。
【請求項１６】
キャップが更に支持部を含み、この支持部は下へ伸びていてその先は土台面になっており、平坦な作業台に取り付けて払出し使用時にディスペンサーを垂直方向に支持でき、
チャンバーがキャップの土台の下の支持部内部に配置されていて、このチャンバーの中にモーターが配置されている
ことを特徴とする請求項１５に記載の液体ディスペンサー。
【請求項１７】
モーターが電動モーターであり、モーター作動用のバッテリーがチャンバーの中に配置されている
ことを特徴とする請求項１５に記載の液体ディスペンサー。
【請求項１８】
作動時に回転翼を回転させるためのモーターが連結され、モーターを作動させるためのスイッチ機構を含む液体ディスペンサーであって、
液体は、モーター作動時に回転翼の回転によって、又は、容器を手で圧縮することによって払い出されることが可能である
ことを特徴とする請求項１に記載の液体ディスペンサー。
【請求項１９】
容器の側面についた第一の部分、及び、手で動かして第一の部分が容器の側面を圧迫して内容積を小さくできる第二の部分を有するレバーのうちの一つから選択される、容器を圧縮するための手動の機構、及び、
容器の側壁の一部であって、手で変形させて内容積を小さくするための膨らんだ弾性部分を含む
ことを特徴とする請求項１８に記載の液体ディスペンサー。
【請求項２０】
以下：
一方の下端がくびれていて排出口がある以外は閉鎖された弾性容器、
回転自在な状態でチャンバーの中に配置され、回転時には液体通路を通して容器から液体を引っ張り、チャンバー中の液面を空気流入口よりも上昇させるような回転翼：
を含み、
容器出口は、チャンバー外郭であるチャンバー形成要素と密閉状態でつながっていて、
チャンバーは空気流入口及び液体流入口を有し、
液体流入口はチャンバーの空気流入口よりも下にあり、
空気流入口は大気圧の空気とつながっていてチャンバー内部の圧力を大気圧とし、
液体流入口は液体通路を介して容器中の液体とつながっていて、
液体流入口は容器中の液面よりも下にあって、容器内部の圧力が大気圧である場合に、重力によって容器から流出した液体により液体通路が満たされ、かつ、液体通路を介して液体流入口よりも高くて空気流入口よりも下の位置までチャンバーが満たされることによって、容器から液体が払出される際に容器内部の圧力が大気圧よりも低くなって真空度が増大し、チャンバー中の液面が液体流入口よりも下まで下がって液体流入口とチャンバー中の空気とがつながることにより、チャンバー中の空気が重力で液体通路を通って容器へと上向きに流れて貯蔵器内部の真空度を減少させる
ことを特徴とする液体ディスペンサー。
【請求項２１】
回転翼に磁気的に連結していて回転翼を回転させるためのモーターを含む
ことを特徴とする請求項１に記載の液体ディスペンサー。
【請求項２２】
回転翼が回転していない場合に空気又は液体の通過を妨げない
ことを特徴とする請求項２０に記載の液体ディスペンサー。
【請求項２３】
ディスペンサーの中の液体が、容器を圧縮して内容積を小さくすることによって、又は、回転翼の回転によって払出される可能性がある
ことを特徴とする請求項２２に記載の液体ディスペンサー。
【請求項２４】
以下：
一方の側がくびれていて排出口がある以外は閉鎖された弾性容器、
端壁、及び、端壁から上へ伸びる側壁を有するキャップ、
側壁を貫通するキャップ出口、
くびれ部とキャップの側壁の間の、くびれ部の外側でかつ側壁の内側にある、容器出口及びキャップ出口の両方につながる通路、
キャップの端壁の上に配置されていて、軸の周りを回転できるように軸受けに受けられ、容器出口の少なくとも少し下に配置された回転翼：
を含み、
前記キャップはくびれ部がキャップの中に入る形でくびれ部に受けられ、
キャップのくびれ部周囲の部分はくびれ部とかみ合わされることによって流体浸透防止用密閉部を形成し、
キャップの側壁は軸の周りに配置され、
容器出口はキャップの側壁の内側に同軸方向に配置され、
回転翼は、回転すると、容器出口から流出した回転翼の上にある流体を受け、かつ、液体を通路の中に放射状に外側へ流動させ、回転翼の回転によって流体を通路に流入させてキャップ出口から流出させることができる
ことを特徴とする液体ディスペンサー。
【請求項２５】
キャップがくびれ部の中に入っていて、軸を中心にして開いた状態と閉じた状態との間で動くことができ、
閉じた状態においては、容器出口の周囲のくびれ部がキャップの側壁に取り付けられることによって容器出口と通路とがつながっておらず、
開いた状態においては、容器出口の周囲のくびれ部とキャップの側壁との間に間隔があいていて、容器出口と通路とがつながっている
ことを特徴とする請求項２４に記載の液体ディスペンサー。
【請求項２６】
以下：
電動モーター、
バッテリー、
電子制御回路、及び、
電磁放射感知及び／又は受信装置：
を含み、
モーターが作動して流体ディスペンサーから流体が払出され、
制御装置はバッテリーからモーターへの動力供給を制御し、かつ、感知及び／又は受信装置を制御し、
モーター、バッテリー、制御盤並びに感知及び／又は受信装置は、同一のユニットと交換するために取り外し可能な一体型電動組み立てユニットを構成する
ことを特徴とする自動流体ディスペンサー。
【請求項２７】
電動組み立てユニットは、モーター、バッテリー、制御盤、並びに、感知及び／又は受信装置の相互連結に必要な電気接続を全て含む
ことを特徴とする請求項２６に記載のディスペンサー。
【請求項２８】
電動組み立てユニットは、全ての電気接続を流体浸透防止用密閉障壁の中に有する
ことを特徴とする請求項２７に記載のディスペンサー。
【請求項２９】
電動組み立てユニットから伸びる、回転翼と連結させてモーターで作動させるためのモーターシャフトを含む
ことを特徴とする請求項２８に記載のディスペンサー。
【請求項３０】
電動組み立てユニットを入れるために内部に空洞を有する土台ハウジングを含む
ことを特徴とする請求項２９に記載のディスペンサー。
【請求項３１】
モーターシャフトが内部の空洞から土台ハウジングの穴を通って伸びている
ことを特徴とする請求項３０に記載のディスペンサー。
【請求項３２】
土台ハウジングを貫通する穴を有し、この穴を通して感知及び／又は受信装置を作動させることができ、この穴によって感知及び／又は受信装置がノズルの近くにされ、これによって流体がディスペンサーから払出される
ことを特徴とする請求項２６に記載のディスペンサー。
【請求項３３】
感知及び／又は受信装置が制御回路に配置されている
ことを特徴とする請求項２６に記載のディスペンサー。
【請求項３４】
土台、土台から上へ伸びる側壁、及び、土台よりも高い位置に排出口を有する容器から流体を払出す方法であって、
排出口より低い位置にある容器に流体を供給すること、
軸の周りを回転して、回転翼に接触している流体を放出できる回転翼を容器の中に設置して、容器中で流体を流動させて容器中の流体面を排出口の高さまで上昇させ、排出口より上にある流体を排出口から容器の外へ流出させること：を含む
ことを特徴とする方法。
【請求項３５】
回転翼によって定常波又は渦が発生して、流体を側壁の中にかつ側壁の上に向かって放射状に外側へ流動させる
ことを特徴とする請求項３４に記載の方法。
【請求項３６】
側壁はほぼ円形であり、回転翼の回転軸に対してほぼ垂直である
ことを特徴とする請求項２７に記載の方法。
【請求項３７】
容器が、側壁から内側に間隔をあけて円形の内壁を有し、側壁と円形の内壁との間に、開口部に向かう上向きの環状の通路が形成されていて、
下部の円形の開口部の環状の通路は、容器の中に、下向きに、かつ、放射状に内側に向かっていて、
回転翼によって流体が下部の円形の開口部へと流動して、環状の通路の中の流体面を排出口よりも上に上昇させることを含む
ことを特徴とする請求項３６に記載の方法。
【請求項３８】
容器の垂直方向の上に位置する貯蔵器から容器の中に流体を補充することを含む
ことを特徴とする請求項３４に記載の方法。
【請求項３９】
モーターを連続的に作動させることによって、容器の中の定常波を維持し、かつ、容器から流体を更に払出し、また、モーターの速度を増大させて定常波の高さを増大させる
ことを特徴とする請求項３４に記載の方法。
【請求項４０】
容器の上の貯蔵器からの流体の流動を制御する圧力除去弁によって、容器の中の流体面の高さを制御する
ことを特徴とする請求項３４に記載の方法。
【請求項４１】
モーターを連続的に作動させることによって、容器の中の定常渦を維持し、かつ、容器から流体を更に払出し、また、モーターの速度を増大させて定常渦の高さを増大させる
ことを特徴とする請求項３６に記載の方法。
【発明の詳細な説明】
【技術分野】
【０００１】
本発明は流体ディスペンサーに関し、より具体的には自動及び／又は手動ポンプ式の流体ディスペンサーに関する。
【背景技術】
【０００２】
公知のソープディスペンサーの大部分は、特にモーター式ポンプで自動的に流体を払出すタイプのものは、安価で単純にかつ／又はエネルギー効率良く流体を払出すものではないという点で不都合である。更に不都合なことに、モーター式ポンプを備えた公知のディスペンサーでは、例えばモーター式ポンプが作動しない場合に、モーター式ポンプを使用せずに液体を手動で払出すことができない。ポンプが作動しない理由としては、例えば、ポンプ機構の故障、停電やポンプ作動用のバッテリーの消耗等による動力不足が考えられる。
【発明の開示】
【発明が解決しようとする課題】
【０００３】
従来公知のディスペンサーの上記欠点を少なくとも部分的に解決するため、本発明は、ある態様において、逆さ状態の容器の開口部の周りに設置されたチャンバーであって、その内部に配置した回転翼が回転してチャンバーから流体を払出すようなチャンバーを提供する。このようなチャンバーは真空除去用チャンバーであることがより好ましい。
【課題を解決するための手段】
【０００４】
本発明の一つの目的は、モーター式ポンプで流体を払出す簡易型流体ディスペンサーの提供である。
【０００５】
本発明の別の目的は、流体を払出すためのモーター式ポンプを備えていて、バッテリーでの使用に特に適した安価な流体ディスペンサーの提供である。
【０００６】
別の目的は、モーター又は手動でポンプを作動させることによる払出しが可能な流体ディスペンサーの提供である。
【０００７】
別の目的は、不使用時に液体が垂れない液体ディスペンサーの提供である。
【０００８】
従って、本発明はある態様において、以下：
【０００９】
一方の側がくびれていて排出口がある以外は閉鎖された弾性容器、
【００１０】
端壁、及び、端壁から上へ伸びる側壁を有するキャップ、
【００１１】
側壁を貫通するキャップ出口、
【００１２】
くびれ部とキャップの側壁の間の、くびれ部の外側でかつ側壁の内側にある、容器出口及びキャップ出口の両方につながる通路、
【００１３】
キャップの端壁の上に配置されていて、軸の周りを回転できるように軸受けに受けられ、容器出口の少なくとも少し下に配置された回転翼：
を含み、
【００１４】
上記キャップはくびれ部がキャップの中に入る形でくびれ部に受けられ、
【００１５】
キャップのくびれ部周囲の部分はくびれ部とかみ合わされることによって流体浸透防止用密閉部を形成し、
【００１６】
容器が逆さになっていてくびれ部が容器の下に位置した状態にある場合に、容器出口はキャップ出口より下にあり、
【００１７】
キャップの側壁は軸の周りに配置され、
【００１８】
容器出口はキャップの側壁の内側に同軸方向に配置され、
【００１９】
回転翼は、回転すると、容器出口から流出した回転翼の上にある流体を受け、かつ、液体を通路の中に放射状に外側へ流動させ、回転翼の回転によって流体を通路に流入させて通路の中の流体面をキャップ出口よりも高く上昇させ、流体をキャップ出口から流出させることができ、
【００２０】
回転翼は、回転していない場合に、キャップ出口から容器出口への空気の流動を妨げないことを特徴とする液体ディスペンサーを提供する。
【００２１】
別の態様において、本発明は、以下：
【００２２】
一方の下端がくびれていて排出口がある以外は閉鎖された弾性容器、
【００２３】
回転自在な状態でチャンバーの中に配置され、回転時には硬い通路を通して容器から液体を引っ張り、チャンバー中の液面を空気流入口よりも上昇させるような回転翼：
を含み、
【００２４】
容器出口は、チャンバー外郭であるチャンバー形成要素と密閉状態でつながっていて、
【００２５】
チャンバーは空気流入口及び液体流入口を有し、
【００２６】
液体流入口はチャンバーの空気流入口よりも下にあり、
【００２７】
空気流入口は大気圧の空気とつながっていてチャンバー内部の圧力を大気圧とし、
【００２８】
液体流入口は液体通路を介して容器中の液体とつながっていて、
【００２９】
液体流入口は容器中の液面よりも下にあって、容器内部の圧力が大気圧である場合に、重力によって容器から流出した液体により液体通路が満たされ、かつ、液体通路を介して液体流入口よりも高くて空気流入口よりも下の位置までチャンバーが満たされることによって、容器から液体が払出される際に容器内部の圧力が大気圧よりも低くなって真空度が増大し、チャンバー中の液面が液体流入口よりも下まで下がって液体流入口とチャンバー中の空気とがつながることにより、チャンバー中の空気が重力で液体通路を通って容器へと上向きに流れて貯蔵器内部の真空度を減少させる
ことを特徴とする液体ディスペンサーを提供する。
【００３０】
別の態様において、本発明は、以下：
【００３１】
電動モーター、
【００３２】
バッテリー、
【００３３】
電子制御回路、及び、
【００３４】
電磁放射感知及び／又は受信装置：
を含み、
【００３５】
モーターが作動して流体ディスペンサーから流体が払出され、
【００３６】
制御装置はバッテリーからモーターへの動力供給を制御し、かつ、感知及び／又は受信装置を制御し、
【００３７】
モーター、バッテリー、制御盤並びに感知及び／又は受信装置は、同一のユニットと交換するために取り外し可能な一体型電動組み立てユニットを構成する
ことを特徴とする自動流体ディスペンサーを提供する。
【００３８】
別の態様において、本発明は、土台、土台から上へ伸びる側壁、及び、土台よりも高い位置に排出口を有する容器から流体を払出す方法であって、
【００３９】
排出口より低い位置にある容器に流体を供給すること、
【００４０】
軸の周りを回転して、回転翼に接触している流体を放出できる回転翼を容器の中に設置して、容器中で流体を流動させて容器中の流体面を排出口の高さまで上昇させ、排出口より上にある流体を排出口から容器の外へ流出させること：を含む
ことを特徴とする方法を提供する。
【００４１】
図面の簡単な説明
本発明の上記以外の態様及び利点は、以下の記載及び付随の図面から明らかに分かるであろう。
【００４２】
図１は、本発明の第一の実施形態によるソープディスペンサーの透視図である。
【００４３】
図２は、図１のソープディスペンサーを分解した部分断面概略図である。
【００４４】
図３は、図３中の断面３−３’におけるボトルの端面図である。
【００４５】
図４は、図５中の断面４−４’におけるキャップの断面図である。
【００４６】
図５は、図１のソープディスペンサーを閉じた状態の部分断面図である。
【００４７】
図６は、ソープディスペンサーを開いた状態の図３と同様の図である。
【００４８】
図７は、ディスペンサーの全体を示す図６と同様の図である。
【００４９】
図８は、第一の実施形態と同様のディスペンサーで使用するために改変したボトルの側面断面図である。
【００５０】
図９は、第一の実施形態と同様のボトルを圧迫する手動レバー機構の概略図である。
【００５１】
図１０は、本発明の第二の実施形態によるディスペンサーの図６と同様の断面図である。
【００５２】
図１１は、本発明の第三の実施形態によるディスペンサーの後部の縦方向の断面図である。
【００５３】
図１２は、図１１中の断面１２−１２’における断面図である。
【００５４】
図１３は、本発明の第三の実施形態によるディスペンサーの図６と同様の断面図である。
【００５５】
図１４は、図１３中の断面１４−１４’における断面図である。
【００５６】
図１５〜２１は、流体ディスペンサーとして使用する際の流体貯蔵器、圧力除去機構及びポンプの配置をそれぞれ示す。
【００５７】
図２２は、本発明の第四の実施形態によるディスペンサーの概略図である。
【００５８】
図２３は、図２２のディスペンサーの正面図である。
【００５９】
図２４は、断面Ａ−Ａ’における図２３のディスペンサーの断面図である。
【００６０】
図２５は、図２２のディスペンサーを分解した概略図である。
【００６１】
図２６は、図２５中に示すディスペンサーを分解した構成要素の正面概略図である。
【００６２】
図２７は、図２５中に示す容器の代わりに使用する難燃性容器の側面断面図である。
【発明を実施するための最良の形態】
【００６３】
本発明による流体ディスペンサーの第一の実施形態を示す図１〜７について説明する。
【００６４】
図１は、ボトル２０２及びキャップ２０４を含むディスペンサー２００を示す。
【００６５】
ボトル２０２は、図３中に示すように断面が長方形である胴部２０６、及び、縦軸２１０の周囲の断面が概して円形であるくびれ部２０８を有する。くびれ部２０８は、中心に雄ねじ２１４を有するくびれ部分２１２を含む。中心部分２１２の先は液体管４２になっており、その端は容器出口４４になっている。
【００６６】
キャップ２０４は土台３４を有し、この土台から側壁３６が上へ伸び、その上部に開口部３７がある。側壁３６の上部２３０は雌ねじ２１６を有していて、これをボトル２０２のくびれ部分２１２に取り付けることにより流体を密閉できる。空気管３８は、側壁３６から放射状に伸びている。側壁３６の円筒状の最下部２２８は土台３４から上へ伸びていて、その先は上向きに開いた漏斗状（ｆｒｕｓｔｏｃｏｎｉｃａｌ）部分２２９になっており、この漏斗状部分の上端の先は円筒状になっている。空気管３８は、キャップ最上部のねじ部２１６より下から放射状に伸びている。
【００６７】
キャップは支持部２３８を含み、この支持部の側壁２４０は土台３４の周りから下へ外側に伸びていてその先は平坦な土台面２４２になっており、平坦な机や作業台の表面等への取り付け、及び、図示のようなディスペンサーの垂直方向での支持に適している。支持部２３８の内部はチャンバー２４４になっている。
【００６８】
回転翼２５０は、キャップ２０４内部の土台３４の上の、円筒状の側壁３６の内部に配置される。回転翼２５０は軸２１０の周りを回転するように配置される。この点について、好ましい実施形態においては、土台３４を貫通する軸２１０と同軸方向に軸穴２５２があいている。シャフト２５４がこの穴２５２を通っていて、このシャフトの上端は回転翼２５０と、下端はチャンバー２４４内部に固定されたモーター２５６と連結している。穴２５２の中のシャフト２５４周辺に密閉リングが配置されていて、穴２５２から液体が外へ通過するのを妨げる流体浸透防止用密閉部を形成している。モーター２５６が作動すると、回転翼が軸２１０の周りを回転する。
【００６９】
組み立てたディスペンサーを閉じた状態を示す図５について説明する。この位置においては、ボトル２０２のくびれ部２０８がキャップ２０４の中に下向きに差し込まれていて、ボトルの液体管４２下部の外面が側壁３６の漏斗状部分２２９の内側とかみ合い、かつ、液体管４２が密閉されて流体が実質上ボトル２０２の中に流れ込んだり外に流出したりしない。
【００７０】
ボトル２０２を図５の位置からキャップに対して相対的に、好ましくは１８０度回転することによって、ボトルのくびれ部の液体管４２の入り口４４がキャップの側壁３６から垂直に動いて開いた状態になり、流体及び／又は空気がボトルの中及び／又は外へ流動できるようになる。図６の開いた状態において、キャップ２０４とボトルのくびれ部２０８とが組み合わさって真空除去弁として機能する。
【００７１】
この点において、ボトル２０２は、吹き込み成形で形成された、内容積が一定の本来の形になる傾向を本質的に有する弾性プラスチックボトルであることが好ましい。ボトルは圧縮されて側面が内側に変形し、本来の形とは異なる形に変形されていてもよい。ボトルは容積が本来の容積よりも小さい異なる形に変形されてもよく、また、この変形した形から本来の形になろうとする傾向を本質的に有してよい。
【００７２】
キャップ２０４とボトルのくびれ部２０８とが組み合わさって閉鎖チャンバー３３が形成され、この閉鎖チャンバーは、空気管３８により大気圧の空気とつながった空気流入口４０、及び、液体管４２により貯蔵器２０２中の液体とつながった液体流入口４４を有する。チャンバー３３の液体流入口４４は、チャンバー３３の空気流入口４０の位置よりも下にある。
【００７３】
図６及び７は、組み立てたディスペンサーの、流体が払出されてディスペンサー自体が平衡状態になった後の開いた状態を示す。ボトルの下部は液体２６で満たされていて、ボトルの上部には空気２７がある。チャンバー３３中の液面は、液体流入口４４よりも高く、かつ、空気流入口４０及び空気管３８よりも低い。チャンバー３３中の流体面が空気流入管３８よりも低いため、流体はチャンバー３３から流出しない。ボトル２０２内部が真空状態になっているため、流体がボトル２０２から流出してチャンバー３３の中に流れ込むことはない。
【００７４】
図６中に示す位置にあるキャップ２０４及びボトルのくびれ部は、ボトル２０２の内部が十分に真空状態になっている場合に真空除去装置として機能し、また、ボトルが本質的に弾性を有するために液体がチャンバー３３からボトル２０２の中に上向きに引っ張られて、チャンバー３３の中の液面が液体流入口４４の高さになるか又はそれより高くなることが可能となる。こうなるとチャンバー３３の中の空気がボトルの中に入り、ボトルの中を上昇する。ボトルの中に十分量の空気が入るとボトル２０２内部の真空状態が十分に除去され、チャンバー３３の中の流体面が液体流入口４４と同じか又はこれよりも高くなるため、空気が更にボトル２０２に流入してボトル内部の真空状態がこれ以上除去されることはないであろう。
【００７５】
回転翼を作動させてボトルから液体を引っ張ることによって、又は、ボトルを圧縮して容積を小さくした後で圧縮状態から回復させることによってボトル内部が真空状態になる。
【００７６】
図６中に示すように、液体管４２がキャップ２０４内部に同軸方向に配置され、環状通路４１が側壁３６と液体管４２の間にできている。図６中に示すように、チャンバー３３の側壁３６と液体管４４の間にこの環状通路４１ができている。空気流入口４０及び空気管３８はこの通路４１につながっている。図５中に示すように、組み立てたディスペンサーを閉じた状態においては、液体管４２と側壁３６とがかみ合っているために環状通路４１の下端がチャンバー３３に密着している。図６中では逆に、通路４１につながる環状開口部が、液体管４２の端と側壁３６の間の環状の間隔の形でできている。
【００７７】
図６中に示す開いた状態において、液体は二通りの経路でボトル２０２から払出されるであろう。
【００７８】
第一の経路としては、ボトル２０２を圧縮して容積を小さくすることによりボトル２０２から液体が払出されるであろう。使用者はボトルをつかんでボトルの両側をくっつけることにより、ボトル２０２を手で圧縮できる。この圧縮は、ボトル中の含有物に圧力を加えて液体管４２からチャンバー３３の中へ液体を流し、チャンバー３３中の液量を空気管３８の高さまで増加させて液体を流動させかつ／又は空気管３８から流出させることによってボトルの容積を小さくするために実施するものである。ボトルにかけた圧縮力を除去すると、ボトルは本質的に本来の形になろうとする傾向があることから、ボトル内部が真空状態であるために、液体流入口４４とつながっている液体及び／又は空気が上向きに引き戻されてボトルの中に流入するであろう。このようにして、チャンバー３３の中の液体がボトルの中に引き戻されるためにチャンバー３３内部の液面が液体流入口４４よりも低くなり、これによって空気がボトル２０２の中に引き戻されることから、ボトル２０２内部の真空状態が少なくとも部分的に除去されるであろう。
【００７９】
容器３３から液体を払出す第二の経路は、回転翼２５０の回転によるものである。モーター３５６が作動すると、回転翼２５０が縦軸２１０の周りを回転する。図示によると、回転翼２５０は円板２５１を有し、この円盤は、軸と、外縁の間隔があいた軸方向に放射状の三つの翼２４９とに垂直である。回転翼２５０が回転すると、流体が回転翼の中心から外側に向かって放射状に流れる。具体的には、図中の回転翼２５０によって、液体流入口４４から流出した回転翼上部の流体が回転翼によって外側に向かって放射状に流れ、これにより液体管４２と側壁３６の間の間隙から環状通路４１の中に流入する。流体が通路４１の中に放射状に流れ込んで通路４１内部の流体面が空気管３８よりも高くなり、チャンバー３３から空気管３８を通って液体が流出する。これにより回転翼２５０が回転してボトル２０２から流体が下向きに引っ張られ、外周にポンプがあってくみ上げられるかのように流体が上へくみ上げられて、環状通路４１を通って空気流入口４０から放出される。このようにボトル２０２から流体が引っ張られることによって、ボトル２０２内部の真空度が増大する。モーターが停止して回転翼２５０の回転が停止すると、ボトル２０２内部の真空度は増大しているが、ボトルが本質的にその本来の形に戻ろうとするために、チャンバー３３中の液体及び／又は空気がボトル２０２の中に引き戻されて、上記と同様にボトル内部の真空状態が除去されるであろう。回転翼２５０は、液体及び／又は空気が液体流入口４４と空気流入口４０の間を流れて、液体のボトルからの流出又は液体及び／若しくは空気のボトルへの流入を妨げないような構造になっている。
【００８０】
従ってその結果、第一の実施形態中に示す液体ディスペンサーは、ボトルを圧縮することにより手動で、又は、ポンプをモーターで作動させることにより自動的に、流体を払出すことができる。
【００８１】
従ってモーターが作動しない場合には、ディスペンサーを改良せずに手動で使用できる。
【００８２】
モーター３５６を作動させる機構を概略的に示す図５及び６について説明する。バッテリー３６４、制御回路盤３６６及びスイッチ３６８を概略的に示す。これらの構成要素を接続する配線は図示しない。図示されたスイッチ３６８は、光を放射する赤外線送信機、及び、空気管３８の真下に置いた使用者の手に反射された光を感知する受信機を含むことが好ましい。このような状態であれば、制御回路盤３６６によって回転翼２５０を所望の時間作動させて、液体を適量払出すことができるであろう。センサースイッチ及びモーターの作動は、公知の方法で単純な制御回路によって制御されてもよい。
【００８３】
スイッチ３６８の詳細な性質は滝に渉るものであってよく、また、スイッチは、使用者が第二の手を空気管３８の真下に置いた際に第一の手で手動で操作するための単純なオン／オフスイッチを含んでもよい。
【００８４】
バッテリー３６４が図示されているが、モーターが遠隔の電力源によって操作されてもよいということは言うまでもない。
【００８５】
モーター３５６は、比較的高速で回転し所要電力が最小である安価な巻き電動ＤＣモーターであることが好ましい。回転翼２５０は、モーターにより最小のパワードロー（ｐｏｗｅｒ  ｄｒａｗ）で回転翼を比較的高速で回転させるために、モーターの性質、及び、流体の粘度を考慮して選択されることが好ましい。キャップ２０４とボトルのくびれ部２０８の相対的な配置は、払出しの際に回転翼が流体を通路４１の中へ引き上げる必要のある高さを最も低くするために、回転翼、モーター及びモーターが利用できる動力を考慮して選択されることが好ましい。
【００８６】
好ましい安価な電動モーターは、電力定格が１．０〜０．２ワットの範囲のものである。例えば、好ましいモーターの一つとして、電荷をかけていない場合には直流（ＤＣ）３ボルトで約０．１アンペア、又は、直流６ボルトで約０．０５アンペアを出力する、商標ＭＡＢＵＣＨＩの型番ＲＥ−２６０  ＲＡ−１８１３０が市販されている。
【００８７】
電力消費を最小とすることが望ましいことから、回転翼の個々の翼２４９の相対的な大きさを最も小さくすれば、他の考慮すべき事項については変更せずに回転翼の回転速度を上げることができる。
【００８８】
回転翼の詳細な構造は、広い範囲で変更できる。例えば、回転翼には下部プレート２５１と平行に円形の第二の上部プレートが設置されていてもよく、この両プレートの間にプレートから間隔をあけて翼２４９が配置され、上部プレートの中心には穴があいていて、上記プレートの中心から翼の回転により流体が放射状に外側に向かって流れるようになっていてもよい。しかし、液体管４２下の中心で渦を発生させることにより環状通路４１を放射状に上へ流れる流体の流動を増大させる目的においては、図示されるような単純な回転翼が好ましいと考えられる。
【００８９】
好ましい実施形態において、図示されるように、容器２０２は液体流入口４４以外は閉じられている。好ましくは、キャップ３４及びボトル２０２の両方を含む液体ディスペンサーは、ボトルのくびれ部を上向きにした状態で輸送して使用するまで保管し、最初に使用する際にのみ使用前に図５中に示すように逆さにする。
【００９０】
本発明によるディスペンサーは、液状石鹸や他の洗剤等の液体の払出しに特に適している。上記ディスペンサーは、粘度が高くない液体と共に使用するのに特に有利であり、市販の一般的な液状石鹸と共に使用するのに有用である。
【００９１】
また、上記ディスペンサーは、粘度が水とほぼ同等の液体、及び、水より粘度の低い、病院内で使用されるようなアルコール性消毒剤等の液体の払出しに特に有利であることが分かっている。
【００９２】
第一の実施形態の液体ディスペンサーを標準的に使用する際には、ボトル２０２内部が真空状態であるために液体が空気管３８からチャンバー３３の中に引き戻されるので、液体は本質的に空気管３８から垂れない。
【００９３】
図示する好ましい実施形態は、円筒状の下部２２８より上の側壁３６と半径がほぼ等しい円筒状の液体管４２を示す。図示されるように、回転翼２５０の半径は、側壁３６の下部２２８の半径よりわずかに小さい。好ましい実施形態において、図示されるように、側壁３６は円筒状の下部から上へ開いた漏斗状部分２２９を含む。当業者であれば、多くの改変及び変形形態を見出せるであろう。例えば、回転翼がキャップ２０４の下部の液体管４２より半径の大きい部分に配置されていて回転翼の半径は液体管４２の半径と同じでもこれより小さくても大きくてもよいが、しかし、回転翼の半径は、回転翼から放射状に外側に向かう側壁３６の半径よりごくわずかに小さいものであることが好ましいと考えられる。
【００９４】
好ましい実施形態において、モーターはエネルギー消費量が低いことが好ましく、キャップ上に充電式バッテリーと小型太陽電池パネルとを組み合わせて有するディスペンサーが有利な構造であろう。
【００９５】
好ましい実施形態によれば、回転翼２５０から放射状に放出された流体が入る通路４１の断面積は、比較的大きい。この実施形態は、チャンバー３３の中の流体面を空気管３８より高くして流体を払出すのに必要な圧力の増大がごくわずかでよいため、有利である。
【００９６】
図１〜７中に示す配置と同様の配置で使用できるように改変したボトル２０２を図示する図８について説明する。この改変したボトル２０２は一つの側面に半球状に膨らんだ突出部２６０を有していて、手でボトルを圧縮して流体を払出すのに適している。図示されるように、ボトル２０２は硬い囲い板２６２に覆われていて、この囲い板は例えばハウジングの一部であってディスペンサーを壁２６４に固定していてもよい。ボトル２０２の膨らんだ突出部２６０は、囲い板２６２の穴２６６から外に出た状態であることが好ましい。突出部は、使用者が手で押しやすいように大きく、ハウジングを取り付けた壁に押し付けることによってボトルを手で圧縮して流体を払出すのに有用である。
【００９７】
ボトルを手で圧縮するための別の機構を示す図９について説明する。軸２７２に対して回転するレバー２７０がハウジング（図示せず）に取り付けられていて、このレバーの一方の側２７４を使用者が手でつかみ、もう一方の側２７６が圧縮可能なボトル２０２の中に入ってボトルを圧縮できるようになっている。このような配置が図９中に簡潔に示される。
【００９８】
本発明の第二の実施形態によるディスペンサーの、図６と同様の断面図である図１０について説明する。
【００９９】
図１０中の実施形態は、二つの点について図６を改変したものである。
【０１００】
第一に、空気管３８及び空気流入口４０の他に、キャップ２０４の側壁３６の空気管３８よりも高い位置に第二の空気流入口４００が貫通している。
【０１０１】
図５中に示す実施形態に対する第二の改変としては、図１０中の回転翼２５０は磁気駆動機構によって回転する。磁気駆動機構は公知である。適切な駆動機構としては、例えば１９６７年２月２８日公開のＧｏｏｄｐａｓｔｕｒｅによる米国特許Ｎｏ．３，３０６，２２１中に記載されるものがある。図１０中に示すように、側壁３６の下部と土台３４とによって閉じた円筒状下部２２８が形成されており、土台３４のジャーナルの入る穴（見えない位置にある）の中にスタブ車軸２５３が下向きに入っていて、この円筒状下部の内部で回転翼２５０が軸２１０の周りをジャーナルに対して回転することができる。スタブ車軸２５３には従動磁石（ｄｒｉｖｅｎ  ｍａｇｎｅｔ）４０２が固定されている。
【０１０２】
環状の駆動磁石４０４がカップ型の円筒状担体４０６の上に円筒状下部２２８と同軸上に配置され、この駆動磁石は軸２１０の周りを回転できるように軸受けに受けられていて、シャフト２５４を介してモーター２５６に連結していることにより回転する。公知のように、モーター２５６が駆動磁石４０４を回転させることによって従動磁石４０２が回転し、これによって回転翼２５０が回転する。このような磁気連結型モーターは市販されていて、回転翼とモーターとの間を密閉しなくてよいという点で有利である。
【０１０３】
図１０中の実施形態の作動は、第一の実施形態で記載されるものと同様である、すなわち、回転翼が回転していない場合には、ボトル２０２内部が少なくとも部分的に真空状態であるために液体２６の水面が空気流入口４０と液体流入口４４の間で維持される。回転翼２５０が回転すると、液体が通路４１を通って軸方向に汲み出されて空気管３８から放出される。空気穴４００が配置されていることによって、流体を連続的に払出すことが容易となる。
【０１０４】
多くのソープディスペンサーについては、ポンプが一回作動すると液体が一回分だけ払出されることが望ましい。このことは、ポンプの作動時間の制御等、様々な手段によって達成できる。図６中に示される第一の実施形態によれば、回転翼２５０が回転して空気管３８から液体が払出されることによってボトル２０２内部が真空状態になり、ポンプにより液体が空気管の外へそれ以上汲み出されないようにディスペンサーを配置することができる。従って、回転翼２５０が回転し続けてキャップの内部で渦が発生している間、ボトル２０２内部が真空状態になっているために液体がそれ以上払出されることはないであろう。
【０１０５】
図６のポンプを作動させるための有利な方法としては次のような方法が挙げられる：モーターが作動した場合に、更にはモーターの作動が継続した場合にのみボトル２０２内部が真空状態になることによって本質的に、ある量の液体の払出し後に所定量の液体の払出しが可能であり、ボトル内部が真空状態になるために液体が更に払出されることはない。従って、回転翼がいくらか余分に回転しても、液体を一回分のみ払出すことが可能である。二回目に払出すためには回転翼の回転を停止する必要があるが、こうすることによって、ボトル内部が真空状態であるために通路４１の中の液体が引き戻され、空気との界面が液体流入口４４よりも低くなることによって、ボトル内部の真空状態が除去される。
【０１０６】
図１０中に示される実施形態によれば、第二の空気流入口である空気穴４００が配置されることによって、容器から液体を連続的に払出すことが容易になる。図１０の実施形態において、回転翼が回転して液体が空気管３８から流出する際に図示のように空気管３８が液体で事実上満たされることにより、第二の空気流入口である穴４００から空気が通路４１の中に流入することができる。通路４１の中で発生する可能性のある激しい渦によって液体がキャップの外壁３６に押し付けられ、これにより空気が液体管４４の周辺に向かって放射状に内側に流入して液体流入口４４に向かって下へ流れるのが促進され、その後ボトル２０２の中を上昇して内部の真空状態を除去するため、連続的な汲み出しが可能となる。図１０は、回転翼２５０が高速で回転し、液体管４２の中だけでなく通路４１の中にも渦が発生して、渦の中に空気と液体の境目があるような状態を図示するものである。
【０１０７】
図１０中には、空気が理論的には渦の中へ下向きに流入し、その後泡４０８で図示するように液体管４２を上昇する様子が示される。
【０１０８】
本発明の第三の実施形態を示す図１１及び１２について説明する。図中、同じ番号は同じ構成要素を示す。図１１及び１２の実施形態は、回転翼２５０が水平軸４２０の周りを回転する配置を示すものである。図１１中に示すように、ボトル２０２は垂直方向の供給管４２２にねじ止めされており、この管を通って流体２６がボトル２０２からポンプハウジング４２４へ流入し、このポンプハウジングの下部２４６はほぼ円筒状の側壁２４８を有していて、その上部２５０から空気流入管３８が外側に伸び、その先に排気口４０がある。供給管４２２はボトルの液体管４２を事実上広げており、図１１中に明瞭に示すように空気流入口４０よりも低い位置に事実上の液体流入口４４４がある。図１２中に破線で示す位置にある液体流入口４４４は、回転翼２５０の中心にある。回転翼２５０が回転するとその翼によって液体がその周りを外側に流れ、渦巻きポンプ様の作用により流体が液体管４２から上へ汲み上げられてハウジング４２４内部の液面が上がることによって、空気管３８から液体が流出できる。
【０１０９】
図１１中に示されるような回転翼を使用することによって、回転翼が回転していない場合に空気及び液体をボトル２０２と空気管３８の間で有利に流動させることができ、このことは、ボトル２０２を圧縮して液体を手動で払出し、空気管３８からボトル２０２の中に空気を引き戻して真空状態を除去するのに有利である。
【０１１０】
好ましい実施形態中に示される回転翼は垂直又は水平の軸の周りを回転するように配置されているが、ほぼ全ての角度で配置された軸の周りを回転翼が回転できる方が便利であることが認識される。
【０１１１】
図１３及び１４中に図示する本発明によるディスペンサーの第四の実施形態について説明する。
【０１１２】
この実施形態は多くの点で第一の実施形態と類似しているが、ボトル２０２が硬くて本質的に圧縮不可能であるという点が顕著に異なる。
【０１１３】
キャップ２０４及びボトル２０８のくびれ部は改変されていて、第一の実施形態でのように真空除去装置を形成していない。この点について、図１０中の出口管３８は、キャップの側壁３６の最下部から伸びている。空気は、ディスペンサー内部ではボトルの上端にのみ存在するとされる。真空除去管３００が回転翼２５０の一方の側から垂直に上へ伸びていて、管の上端はボトル２０２の中にある。空気流入管３００はその下端が通路６００とつながっていて、この通路は下向きにキャップを貫通して通路６０２に合流する。閉じた状態にあるキャップの通路６００の管の中に（略図のみを示す）弁６０８が配置されていて、単純な電磁弁式で電気的に開くようになっている。
【０１１４】
出口管３８は上向きに伸びていてその先が下を向いており、排出口４０になっている。流体を流入管３８から外へ汲み出すためには、モーターにより回転翼２５０を作動させ、電磁弁６０８を開き、回転翼２５０によって比較的低い圧力を発生させる必要がある。回転翼の回転が停止している場合、電磁弁６０８が閉じると、ボトル２０２が圧縮不可能であるために空気除去管３００が塞がれ、出口管３８が上を向いた後で下を向いていることによって出口４０から液体が事実上全く垂れなくなるであろう。回転翼とそのモーターによって、真空除去管３００及びその電磁弁６０２によりボトル内部の真空状態を除去することによって流体を払出すための便利で安価な渦巻きポンプが提供される。
【０１１５】
閉じた電磁弁は、回転翼が回転して重力によるボトルからの液体の流動が促進されている間の少なくとも一部の間開いて、回転翼の回転によって補助されてもよい。弁は、モーターの作動／非作動周期で弁を閉じるための制御回路によって制御でき、恐らくより好ましくは、弁が閉じた後もある程度の間回転翼が回転し続けて、弁がボトル内部を少なくとも部分的に真空状態にするのを補助する。
【０１１６】
貯蔵器５００、圧力除去装置５０２及びポンプ５０４を含む図１５〜２１について説明する。これらの図の各々において、液体管４２は貯蔵器から出ていて、この液体流入口が圧力除去装置５０２内部で空気管３８すなわち排気口より下にあり、圧力除去装置５０２の中の液面は液体流入口と空気流入口の間にある。
【０１１７】
図１５は、ポンプ５０４が貯蔵器に接続された状態を図示する。ポンプを作動させて貯蔵器５００から流体を払出す際に貯蔵器５００内部が真空状態になり、真空除去装置５０２によりある時点で空気を引っ張り上げることができるため、液体管４２を介して貯蔵器５００の中の圧力を除去できる。図１５に図示するものは、連続的な払出しが可能である。
【０１１８】
図１６は、圧力除去装置５０２の下部に溜まった液面よりも下にポンプ５０４が接続された状態を図示する。ポンプを作動させると、液体が貯蔵器５００から圧力除去装置５０２内部に溜まった水の中へ引っ張られ、空気が空気管３８に流入して、貯蔵器５００内部に発生した真空状態を除去できる。
【０１１９】
図１７は、圧力除去装置５０２内部に溜まった水の中にポンプ５０４が配置され、貯蔵器に接続された液体管４２から排出された流体がこのポンプの中に入るような配置を図示する。ポンプによって液体が圧力除去装置の中に排出される。液体が空気管３８から排出されるが、この配置は、管３８を通る空気及び液体の両方の流動に適していて、かつ、ポンプ５０４を通る空気及び液体の流動にも適している。
【０１２０】
図１８は図１５と同様の配置を図示するものであるが、液体はポンプ５０４によって圧力除去装置５０２内部に溜まった水の中に排出される。
【０１２１】
図１９は図１６と同様の状態を図示するものであるが、空気管３８は、ポンプ５０４から伸びる液体排出口５０８に連結している。
【０１２２】
図２０は図１６と同様の配置を図示するものであるが、ポンプ５０４は、圧力除去装置５０２内部に溜まった水の中に配置されている。
【０１２３】
図２１は図２０と同様の状態を図示するものであるが、空気管３８は、ポンプ５０４から伸びる排出口５０８に接続している。
【０１２４】
図１〜７中に図示する実施形態を図１７中に概略的に示すが、この実施形態において、ポンプ５０４、並びに、空気管３８及び液体管４２を空気と液体の両方が内方向及び外方向に通過する。こうした配置においては内方向及び外方向の流動を可能にするポンプが必要であり、このような配置によって空気が貯蔵器５００に流入して貯蔵器内部の真空状態を除去できる。また、このような配置によれば、貯蔵器を手で圧縮することによる払出しも可能である。
【０１２５】
図１５の配置において、ポンプ５０４を通る流動は外方向にのみ可能であることが好ましい。しかし、図１５の配置によれば、ポンプが貯蔵器５００の圧縮により作用しない場合には手動で作動させることも可能である。また、図１６においては、ポンプ５０４を通る流動は外方向にのみである。図１６の配置によれば、圧縮可能な容器５００を圧縮することにより手動で払出すことも可能である。
【０１２６】
図１８の配置においては、ポンプ５０４を通る流体の流動は一方向にのみ可能であることが好ましいが、流体及び／又は空気が双方向に流動可能であってもよい。いずれにしても、図１８の配置は、容器５００の圧縮による手動での払出しに適している。図１８中において、作動がポンプによるものであっても手で圧縮することによるものであっても、空気と液体の両方が空気管３８を通って排出されることが可能であり、ポンプ５０４を通る流体の流動は貯蔵器５００から外方向以外に可能でなくてもよい。
【０１２７】
図２０の配置は、ポンプ５０４を通る液体の流動は外方向にのみ可能である図１６中に図示する配置と本質的に同一である。図２０は、液体制御装置内部に溜まった水の中にポンプが配置されているように図示されており、これが便利である可能性があるという点で図１６とは異なる。
【０１２８】
図２１は図２０中に示すものと本質的に同一の配置を図示するものであるが、空気管３８がポンプ排出管５０８に接続され、また、図２１の実施形態においては、ポンプを通る液体の流動は外方向にのみ可能であることが好ましい。
【０１２９】
図１５〜２１のそれぞれの実施形態において、容器は、本質的に本来の形をとる傾向のある折り畳み可能な容器であることが好ましい。それぞれの開口部からの空気又は液体の流動は、空気については「Ａ」、液体については「Ｌ」で示される。
【０１３０】
作動機構が図１〜７のディスペンサーのものと類似する、本発明によるディスペンサーの第四の実施形態を示す図２２〜２６について説明する。同じ構成要素を示すために、図１〜７中の同じ番号を図２５〜２７中においても使用する。
【０１３１】
土台キャップ２０４は胴部分５２０、ノズル５２２及び遮蔽板５２４を含み、これらはそれぞれプラスチックを射出成形した一体型要素であることが好ましい。
【０１３２】
あらかじめ組み立てた装置であることが好ましい電動装置５２６には、モーター２５６、モーターシャフト２５４、バッテリー３６４、制御回路盤３６６並びに二つのスイッチ装置３６８及び３６９が設置されている。二つのスイッチ装置はそれぞれ、放射線を放射する送信機と反射された放射線を感知する受信機の両方を含むことが好ましい。電動装置５２６は、土台キャップ２０４内部の空洞５２８に垂直に挿入するのに適しており、密閉部２５３が、モーターシャフト２５４の周り、及び、シャフト２５４が入る穴を有する土台キャップ２０４の軸穴２６３と電動装置５２６の一部２５６からなるモーター最上端との間を密閉している。
【０１３３】
電動装置５２６は、土台キャップ２０４の中の適当な位置に遮蔽板５２４によって固定されていて、土台キャップ２０２と遮蔽板５２４との間に電動装置５２６がはさまれた状態である。
【０１３４】
土台キャップ２０２の中の適当な位置にある場合には、電動装置５２６の二つのスイッチ装置３６８及び３６９は、土台キャップ２０２の正面のノズル５２２の真下の凹部５３４及び５３６にある二つのスイッチ穴５３０及び５３２を密閉状態で貫通している。
【０１３５】
コスト削減のためには、制御要素、センサー、及び、モーターとバッテリーの電気接続（又は外部動力への接続）を全て有する回路基盤３６６を一つ以上、好ましくは一つだけ電動装置５２６に組み込むことが有利である。
【０１３６】
従来のねじやまを切ったくびれ部２０８を有する標準ボトルであるボトル２０２と共に使用できるようにするため、アダプタスリーブ５３８の第一の管状部分５４０がボトル２０２のくびれ部２０８の中に擦り状態で入り、かつ、この第一の管状部分から下へ第二の管状の部分５４２が伸びている。図２４は図５と同様に組み立てたディスペンサーを閉じた状態を図示するものであり、アダプタスリーブ５３８と土台キャップ２０２の側壁３６の漏斗状部分２２９とが密閉されている。
【０１３７】
図示するように、環状通路４１は、アダプタスリーブ５３８の第二の管状部分５４２と土台キャップ２０２の側壁３６の間に放射状に外側に向かった状態である。
【０１３８】
図６中に示す状態と同様に使用して払出しを行うために、図２４中のボトル２０２を土台キャップ２０２に対して回転させることにより、アダプタスリーブ５３８の下端と側壁の漏斗状部分２２９の間に軸に沿った空間ができる。
【０１３９】
図２２〜２６のディスペンサーは、持ち運び可能であり、テーブル等の土台面上に設置した遮蔽板５２４に接した状態で配置されていてよい。図２２〜２６は、ボトル２０２が取り外し可能な形で任意の壁取付用腕木５４４に固定されていて、ボトル２０２の下のねじやまを有するくびれ部分２０８の両側に支持用腕部５４６及び５４８が伸びている状態を示す。
【０１４０】
図２２〜２７のディスペンサーは、アルコール清浄液を払出す際に使用されるのが好ましい。このような液体は可燃性で、引火点が例えば処方によっては２１℃以下といったように比較的低いものであってよい。ノズル５２２若しくはボトル２０２の中に伸びる回転翼チャンバーの中が燃える危険性を減らすために、又は、ボトル２０２の中で爆発する危険性を回避するために、金属メッシュ又は遮蔽物等の火炎障壁を様々な通路を横切る形で設置し、遮蔽物の一方の側の炎が遮蔽物を通り越さないようにしてもよい。図２４中のみに示される遮蔽メッシュ５５０は、アダプタスリーブ５３８の内部の端を横切って、図２４中に示されるスリーブ５３８の上端に設置されることが好ましい。また、遮蔽メッシュはノズル又は通路を横切って回転翼チャンバーからノズルに向かって設置されていてもよい。更に、多孔質金属メッシュ等の耐爆発性材料を、ボトル２０２に充填する形で設置してもよい。
【０１４１】
図２２〜２６中のボトル２０２の代わりとなるボトルアセンブリー６００を示す図２７について説明する。ボトルアセンブリーは上部ボトル６０２及び下部容器６０４を含む。上部ボトル６０２は、雄ねじを有するくびれ部６０５を有していて払出されたアルコール液のみが入る典型的なボトルである。下部容器６０４は、上部のボトル６０２のくびれ部６０５をねじ止め式に受けるために雌ねじを有する入り口６０６を有する。下部容器６０４は、土台キャップ２０４に取り付けるための雄ねじの切られたくびれ部６０８を有する。容器６０４には、略して示すように薄い金属メッシュからなる耐爆発性の基材６１０が充填されており、この金属メッシュは潰した状態で容器６０４中に詰め込んであり、実質上容器６０４を満たしている。基材６１０は多孔質であり、アルコールがこれを通過できる。公知のように、この基材は炎が容器の中に入ったり容器を通過するのを妨げたり、可燃性の蒸気及び液体の容器中での爆発を妨げる補助をするものである。基材６１０は、熱の分布を補助して爆発を抑えるフィルターの塊の挿入物であることが好ましく、例えばＳｚｇｏによる米国特許ＵＳＰ３，３５６，２５６、Ｓｃｈｒｅｎｋによる米国特許ＵＳＰ４，６１３，０５４、又は、Ｆｅｎｔｏｎによる米国特許ＵＳＰ４，６７３，０９８若しくは米国特許ＵＳＰ４，９２５，０５３中に教示される種のものであってよい。
【０１４２】
図１〜７、１０、１１及び１２中に図示されるディスペンサーは、中で回転翼が回転できるチャンバーをそれぞれ有する。チャンバーは土台、土台から上向きに伸びる側壁、及び、土台よりも高い位置に排出口を有する。流体はチャンバーの中の、排出口より低い位置にある。チャンバーの中の回転翼が軸の周りを回転して、回転翼に接している流体を排出することができ、これによってチャンバーの中の流体面が排出口の高さまで引き上げられて、排出口よりも高い位置にある流体が排出口からチャンバーの外へ流出する。回転翼が回転することによってチャンバーの中の流体が流動し、定常波が発生して容器の中の流体面が上昇することが好ましい。好ましい定常波の一つとしては、流体を側壁の中に、かつ、側壁の上に向かって放射状に外側へ流動させる渦がある。ディスペンサーは、チャンバーに流体を補給するための貯蔵器を、好ましくはチャンバーへの流体供給源であるチャンバーの上に垂直に有する。チャンバーと貯蔵器とは互いに接続されている必要はない。好ましい実施形態において、圧力除去機構によって容器の上の貯蔵器からの流体の流動が制限され、また、圧力除去機構は回転翼が作動していない時にチャンバー中の流体量が最小限度よりも少なくなったり最大限度を超えたりするのを止めることができる。チャンバー中の流体量を最小量と最大量の間で維持するために、チャンバー中の流体面に浮かぶフロートバルブ機構、又は、作動可能な状態でバルブに連結されていて貯蔵器から流体を払出すためのチャンバー流体表示器等の、圧力除去機構以外の機構を使用してもよく、その例としては例えば図１０中の電磁弁６００がある。
【０１４３】
本発明を好ましい実施形態について記載したが、当業者であれば多くの変異形態及び改変が考えられるであろう。本発明を定義するために、別添の特許請求の範囲を参照する。
【図面の簡単な説明】
【０１４４】
【図１】本発明の第一の実施形態によるソープディスペンサーの透視図である。
【図２】図１のソープディスペンサーを分解した部分断面概略図である。
【図３】図３中の断面３−３’におけるボトルの端面図である。
【図４】図５中の断面４−４’におけるキャップの断面図である。
【図５】図１のソープディスペンサーを閉じた状態の部分断面図である。
【図６】ソープディスペンサーを開いた状態の図３と同様の図である。
【図７】ディスペンサーの全体を示す図６と同様の図である。
【図８】第一の実施形態と同様のディスペンサーで使用するために改変したボトルの側面断面図である。
【図９】第一の実施形態と同様のボトルを圧迫する手動レバー機構の概略図である。
【図１０】本発明の第二の実施形態によるディスペンサーの図６と同様の断面図である。
【図１１】本発明の第三の実施形態によるディスペンサーの後部の縦方向の断面図である。
【図１２】図１１中の断面１２−１２’における断面図である。
【図１３】本発明の第三の実施形態によるディスペンサーの図６と同様の断面図である。
【図１４】図１３中の断面１４−１４’における断面図である。
【図１５】流体ディスペンサーとして使用する際の流体貯蔵器、圧力除去機構及びポンプの配置を示す。
【図１６】流体ディスペンサーとして使用する際の流体貯蔵器、圧力除去機構及びポンプの配置を示す。
【図１７】流体ディスペンサーとして使用する際の流体貯蔵器、圧力除去機構及びポンプの配置を示す。
【図１８】流体ディスペンサーとして使用する際の流体貯蔵器、圧力除去機構及びポンプの配置を示す。
【図１９】流体ディスペンサーとして使用する際の流体貯蔵器、圧力除去機構及びポンプの配置を示す。
【図２０】流体ディスペンサーとして使用する際の流体貯蔵器、圧力除去機構及びポンプの配置を示す。
【図２１】流体ディスペンサーとして使用する際の流体貯蔵器、圧力除去機構及びポンプの配置を示す。
【図２２】本発明の第四の実施形態によるディスペンサーの概略図である。
【図２３】図２２のディスペンサーの正面図である。
【図２４】断面Ａ−Ａ’における図２３のディスペンサーの断面図である。
【図２５】図２２のディスペンサーを分解した概略図である。
【図２６】図２５中に示すディスペンサーを分解した構成要素の正面概略図である。
【図２７】図２５中に示す容器の代わりに使用する難燃性容器の側面断面図である。
【符号の説明】
【０１４５】
２６、液体
２７、空気
３３、チャンバー
３４、土台
３６、側壁
３７、開口部
３８、空気管
４０、空気流入口
４１、環状通路
４２、液体管
４４、容器出口
２００、ディスペンサー
２０２、２０２
２０４、キャップ
２０６、胴部
２０８、くびれ部
２１０、縦軸
２１２、くびれ部分
２１４、雄ねじ
２１６、雌ねじ
２２８、側壁の円筒状の最下部
２２９、漏斗状部分
２３０、側壁の上部
２３８、支持部
２４０、支持部の側壁
２４２、平坦な土台面
２４４、チャンバー
２４６、ポンプハウジングの下部
２４８、ほぼ円筒状の側壁
２４９、翼
２５０、回転翼
２５１、円板
２５２、軸穴
２５３、スタブ車軸
２５４、シャフト
２５６、モーター
２６０、半球状に膨らんだ突出部
２６２、囲い板
２６３、軸穴
２６４、壁
２６６、穴
２７０、レバー
２７２、軸
２７４、レバーの一方の側
２７６、レバーのもう一方の側
３００、真空除去管
３５６、モーター
３６４、バッテリー
３６６、制御回路盤
３６８、スイッチ装置
３６９、スイッチ装置
４００、第二の空気流入口
４０２、従動磁石
４０４、駆動磁石
４０６、カップ型の円筒状担体
４０８、泡
４２０、水平軸
４２２、供給管
４２４、ポンプハウジング
４４４、液体流入口
５００、貯蔵器
５０２、圧力除去装置
５０４、ポンプ
５０８、液体排出口
５２０、胴部分
５２２、ノズル
５２４、遮蔽板
５２６、電動装置
５２８、土台キャップ内部の空洞
５３０、スイッチ穴
５３２、スイッチ穴
５３４、凹部
５３６、凹部
５３８、アダプタスリーブ
５４０、第一の管状部分
５４２、第二の管状部分
５４４、壁取付用腕木
５４６、支持用腕部
５４８、支持用腕部
５５０、遮蔽メッシュ
６００、ボトルアセンブリー
６０２、上部ボトル
６０４、下部容器
６０５、くびれ部
６０６、入り口
６０８、くびれ部
６１０、基材
Ａ、空気、
Ｌ、液体
３−３’、断面
４−４’、断面
１２−１２’、断面
１４−１４’、断面
Ａ−Ａ’、断面
【図１】
2007523668.tif 000003
【図２】
2007523668.tif 000004
【図３】
2007523668.tif 000005
【図４】
2007523668.tif 000006
【図５】
2007523668.tif 000007
【図６】
2007523668.tif 000008
【図７】
2007523668.tif 000009
【図８】
2007523668.tif 000010
【図９】
2007523668.tif 000011
【図１０】
2007523668.tif 000012
【図１１】
2007523668.tif 000013
【図１２】
2007523668.tif 000014
【図１３】
2007523668.tif 000015
【図１４】
2007523668.tif 000016
【図１５】
2007523668.tif 000017
【図１６】
2007523668.tif 000018
【図１７】
2007523668.tif 000019
【図１８】
2007523668.tif 000020
【図１９】
2007523668.tif 000021
【図２０】
2007523668.tif 000022
【図２１】
2007523668.tif 000023
【図２２】
2007523668.tif 000024
【図２３】
2007523668.tif 000025
【図２４】
2007523668.tif 000026
【図２５】
2007523668.tif 000027
【図２６】
2007523668.tif 000028
【図２７】
2007523668.tif 000029
【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
以下：
一方の側がくびれていて排出口がある以外は閉鎖された弾性容器、
端壁、及び、端壁から上へ伸びる側壁を有するキャップ、
側壁を貫通するキャップ出口、
くびれ部とキャップの側壁の間の、くびれ部の外側でかつ側壁の内側にある、容器出口及びキャップ出口の両方につながる通路、
キャップの端壁の上に配置されていて、軸の周りを回転できるように軸受けに受けられ、容器出口の少なくとも少し下に配置された回転翼：
を含み、
前記キャップはくびれ部がキャップの中に入る形でくびれ部に受けられ、
キャップのくびれ部周囲の部分はくびれ部とかみ合わされることによって流体浸透防止用密閉部を形成し、
容器が逆さになっていてくびれ部が容器の下に位置した状態にある場合に、容器出口はキャップ出口より下にあり、
キャップの側壁は軸の周りに配置され、
容器出口はキャップの側壁の内側に同軸方向に配置され、
回転翼は、回転すると、容器出口から流出した回転翼の上にある流体を受け、かつ、液体を通路の中に放射状に外側へ流動させ、回転翼の回転によって流体を通路に流入させて通路の中の流体面をキャップ出口よりも高く上昇させ、流体をキャップ出口から流出させることができ、
回転翼は、回転していない場合に、キャップと容器出口の間の空気又は流体の流動を妨げない
ことを特徴とする液体ディスペンサー。
【請求項２】
回転翼は、回転していない場合に、キャップと容器との間の空気又は流体の流動を妨げない
ことを特徴とする請求項１に記載の液体ディスペンサー。
【請求項３】
回転翼、キャップ及び容器くびれ部は組み合わさって渦巻きポンプを形成し、流体を容器出口から通路に放射状に流入させる
ことを特徴とする請求項１に記載の液体ディスペンサー。
【請求項４】
キャップの軸に対する断面は円形であり、容器くびれ部の軸に対する断面も円形であり、かつ、
通路は軸に対して環状である
ことを特徴とする請求項３に記載の液体ディスペンサー。
【請求項５】
回転翼の半径は容器出口の半径よりもやや小さい
ことを特徴とする請求項１に記載の液体ディスペンサー。
【請求項６】
回転翼の半径は小さくても容器出口の半径と同じである
ことを特徴とする請求項１に記載の液体ディスペンサー。
【請求項７】
キャップの側壁の円筒状の下部の半径は回転翼の半径よりもわずかに大きい
ことを特徴とする請求項１に記載の液体ディスペンサー。
【請求項８】
容器くびれ部の円筒状の下端にある容器出口部分の半径は、キャップの円筒状の下部の半径と実質的に同じである
ことを特徴とする請求項７に記載の液体ディスペンサー。
【請求項９】
キャップの側壁は円筒状の下部から上向きに開いていて漏斗状になっている
ことを特徴とする請求項７に記載の液体ディスペンサー。
【請求項１０】
容器は、本来の形は一定の内容積を有するが、弾性があって変形可能であり、
弾性を有するために、圧力がかかって本来の形とは異なる形に変形されて容積が本来の容積よりも小さくなった後に、圧力を除去すると、容器の弾性によって本来の形に戻ろうとし、これにより容器内部が真空状態になり、
容器が、逆さ状態になっている場合に、本来の形とは異なる形に変形されると、容器の中の液体が容器出口から通路を通って容器の外へ流出させられてキャップ出口へと流され、
逆さ状態の容器内部が真空状態である場合に、キャップの中の液体は容器の中に引き戻されてキャップの中の液面が容器出口よりも下になり、容器出口がキャップの中の空気とつながって、キャップの中の空気が重力によりくびれ部を通って容器の中へと上昇し、容器内部の真空状態を除去し、
容器出口が容器の中の液面よりも下にあって、容器内部の圧力が大気圧である場合に、容器から排出された液体によって重力によりくびれ部及び通路が満たされ、液面が容器出口よりも高くかつキャップ出口よりも低くなる
ことを特徴とする請求項１に記載の液体ディスペンサー。
【請求項１１】
キャップはくびれ部に対して、キャップによって通路を流体が流動できないような閉じた状態と通路が開いていて流体が流動できる開いた状態との間で動くことができる
ことを特徴とする請求項７に記載の液体ディスペンサー。
【請求項１２】
閉じた状態において、キャップの端壁がくびれ部に取り付けられることによって容器出口が塞がれて流体がその間を通過できず、開いた状態において、この端壁は容器出口から間隔があいている
ことを特徴とする請求項１１に記載の液体ディスペンサー。
【請求項１３】
キャップの側壁がくびれ部の周りに同軸方向に配置され、キャップはくびれ部に対して開いた状態と閉じた状態との間で軸の周りを動くことができる
ことを特徴とする請求項１２に記載の液体ディスペンサー。
【請求項１４】
回転翼に連結したモーターを含む液体ディスペンサーであって、
モーターはキャップの端壁の下に配置され、
軸の周りを回転可能なシャフトが密閉状態でキャップの端壁を通過していて、その下端でモーターと、上端で回転翼と連結している
ことを特徴とする請求項１に記載の液体ディスペンサー。
【請求項１５】
キャップが更に支持部を含み、この支持部は下へ伸びていてその先は土台面になっており、平坦な作業台に取り付けて払出し使用時にディスペンサーを垂直方向に支持できる
ことを特徴とする請求項１に記載の液体ディスペンサー。
【請求項１６】
キャップが更に支持部を含み、この支持部は下へ伸びていてその先は土台面になっており、平坦な作業台に取り付けて払出し使用時にディスペンサーを垂直方向に支持でき、
チャンバーがキャップの土台の下の支持部内部に配置されていて、このチャンバーの中にモーターが配置されている
ことを特徴とする請求項１５に記載の液体ディスペンサー。
【請求項１７】
モーターが電動モーターであり、モーター作動用のバッテリーがチャンバーの中に配置されている
ことを特徴とする請求項１５に記載の液体ディスペンサー。
【請求項１８】
作動時に回転翼を回転させるためのモーターが連結され、モーターを作動させるためのスイッチ機構を含む液体ディスペンサーであって、
液体は、モーター作動時に回転翼の回転によって、又は、容器を手で圧縮することによって払い出されることが可能である
ことを特徴とする請求項１に記載の液体ディスペンサー。
【請求項１９】
容器の側面についた第一の部分、及び、手で動かして第一の部分が容器の側面を圧迫して内容積を小さくできる第二の部分を有するレバーのうちの一つから選択される、容器を圧縮するための手動の機構、及び、
容器の側壁の一部であって、手で変形させて内容積を小さくするための膨らんだ弾性部分を含む
ことを特徴とする請求項１８に記載の液体ディスペンサー。
【請求項２０】
以下：
一方の下端がくびれていて排出口がある以外は閉鎖された弾性容器、
回転自在な状態でチャンバーの中に配置され、回転時には液体通路を通して容器から液体を引っ張り、チャンバー中の液面を空気流入口よりも上昇させるような回転翼：
を含み、
容器出口は、チャンバー外郭であるチャンバー形成要素と密閉状態でつながっていて、
チャンバーは空気流入口及び液体流入口を有し、
液体流入口はチャンバーの空気流入口よりも下にあり、
空気流入口は大気圧の空気とつながっていてチャンバー内部の圧力を大気圧とし、
液体流入口は液体通路を介して容器中の液体とつながっていて、
液体流入口は容器中の液面よりも下にあって、容器内部の圧力が大気圧である場合に、重力によって容器から流出した液体により液体通路が満たされ、かつ、液体通路を介して液体流入口よりも高くて空気流入口よりも下の位置までチャンバーが満たされることによって、容器から液体が払出される際に容器内部の圧力が大気圧よりも低くなって真空度が増大し、チャンバー中の液面が液体流入口よりも下まで下がって液体流入口とチャンバー中の空気とがつながることにより、チャンバー中の空気が重力で液体通路を通って容器へと上向きに流れて貯蔵器内部の真空度を減少させる
ことを特徴とする液体ディスペンサー。
【請求項２１】
回転翼に磁気的に連結していて回転翼を回転させるためのモーターを含む
ことを特徴とする請求項１に記載の液体ディスペンサー。
【請求項２２】
回転翼が回転していない場合に空気又は液体の通過を妨げない
ことを特徴とする請求項２０に記載の液体ディスペンサー。
【請求項２３】
ディスペンサーの中の液体が、容器を圧縮して内容積を小さくすることによって、又は、回転翼の回転によって払出される可能性がある
ことを特徴とする請求項２２に記載の液体ディスペンサー。
【請求項２４】
以下：
一方の側がくびれていて排出口がある以外は閉鎖された弾性容器、
端壁、及び、端壁から上へ伸びる側壁を有するキャップ、
側壁を貫通するキャップ出口、
くびれ部とキャップの側壁の間の、くびれ部の外側でかつ側壁の内側にある、容器出口及びキャップ出口の両方につながる通路、
キャップの端壁の上に配置されていて、軸の周りを回転できるように軸受けに受けられ、容器出口の少なくとも少し下に配置された回転翼：
を含み、
前記キャップはくびれ部がキャップの中に入る形でくびれ部に受けられ、
キャップのくびれ部周囲の部分はくびれ部とかみ合わされることによって流体浸透防止用密閉部を形成し、
キャップの側壁は軸の周りに配置され、
容器出口はキャップの側壁の内側に同軸方向に配置され、
回転翼は、回転すると、容器出口から流出した回転翼の上にある流体を受け、かつ、液体を通路の中に放射状に外側へ流動させ、回転翼の回転によって流体を通路に流入させてキャップ出口から流出させることができる
ことを特徴とする液体ディスペンサー。
【請求項２５】
キャップがくびれ部の中に入っていて、軸を中心にして開いた状態と閉じた状態との間で動くことができ、
閉じた状態においては、容器出口の周囲のくびれ部がキャップの側壁に取り付けられることによって容器出口と通路とがつながっておらず、
開いた状態においては、容器出口の周囲のくびれ部とキャップの側壁との間に間隔があいていて、容器出口と通路とがつながっている
ことを特徴とする請求項２４に記載の液体ディスペンサー。
【請求項２６】
削除
【請求項２７】
削除
【請求項２８】
削除
【請求項２９】
削除
【請求項３０】
削除
【請求項３１】
削除
【請求項３２】
削除
【請求項３３】
削除
【請求項３４】
土台、土台から上へ伸びる側壁、及び、土台よりも高い位置に排出口を有する容器から流体を払出す方法であって、
排出口より低い位置にある容器に流体を供給すること、
軸の周りを回転して、回転翼に接触している流体を放出できる回転翼を容器の中に設置して、容器中で流体を流動させて容器中の流体面を排出口の高さまで上昇させ、排出口より上にある流体を排出口から容器の外へ流出させること：を含む
ことを特徴とする方法。
【請求項３５】
回転翼によって定常波又は渦が発生して、流体を側壁の中にかつ側壁の上に向かって放射状に外側へ流動させる
ことを特徴とする請求項３４に記載の方法。
【請求項３６】
側壁はほぼ円形であり、回転翼の回転軸に対してほぼ垂直である
ことを特徴とする請求項３５に記載の方法。
【請求項３７】
容器が、側壁から内側に間隔をあけて円形の内壁を有し、側壁と円形の内壁との間に、開口部に向かう上向きの環状の通路が形成されていて、
下部の円形の開口部の環状の通路は、容器の中に、下向きに、かつ、放射状に内側に向かっていて、
回転翼によって流体が下部の円形の開口部へと流動して、環状の通路の中の流体面を排出口よりも上に上昇させることを含む
ことを特徴とする請求項３６に記載の方法。
【請求項３８】
容器の垂直方向の上に位置する貯蔵器から容器の中に流体を補充することを含む
ことを特徴とする請求項３４に記載の方法。
【請求項３９】
モーターを連続的に作動させることによって、容器の中の定常波を維持し、かつ、容器から流体を更に払出し、また、モーターの速度を増大させて定常波の高さを増大させる
ことを特徴とする請求項３４に記載の方法。
【請求項４０】
容器の上の貯蔵器からの流体の流動を制御する圧力除去弁によって、容器の中の流体面の高さを制御する
ことを特徴とする請求項３４に記載の方法。
【請求項４１】
モーターを連続的に作動させることによって、容器の中の定常渦を維持し、かつ、容器から流体を更に払出し、また、モーターの速度を増大させて定常渦の高さを増大させる
ことを特徴とする請求項３６に記載の方法。
【国際調査報告】
2007523668.tif 000030
2007523668.tif 000031
2007523668.tif 000032
2007523668.tif 000033